(57)【要約】【課題】衝撃吸収性に優れると共に折れ曲がりを効果的に防止できる釣竿ケースを提供する。【解決手段】筒状の側壁部５に釣竿の出し入れのための本体開口部３０が縦方向に沿って形成され、側壁部５は、横断面視略Ｕ字状の枠体１０と、該枠体１０の両側縁部１０ａ，１０ｂ間に設けられ、枠体１０の一方の側縁部１０ａに固着されると共に枠体１０の他方の側縁部１０ｂとの間に前記本体開口部３０を形成する帯状体１１とから構成され、枠体１０は、その上端から下端まで全長に亘って縫合部のない一枚の板状発泡体が外装材として使用された右側面３と背面２とを有している。【選択図】      図１
2004337016.tif 000002
【特許請求の範囲】
【請求項１】
筒状の側壁部に釣竿の出し入れのための本体開口部が縦方向に沿って形成されている釣竿ケースであって、
側壁部は、横断面視略Ｕ字状の枠体と、該枠体の両側縁部間に設けられ、枠体の一方の側縁部に固着されると共に枠体の他方の側縁部との間に前記本体開口部を形成する帯状体とから構成され、枠体は、その上端から下端まで全長に亘って縫合部のない一枚の板状発泡体が外装材として使用された領域を有していることを特徴とする釣竿ケース。
【請求項２】
枠体には、外装材の内側に板状発泡体よりも薄肉の硬質ボードが略Ｕ字状に撓んだ状態で配置されている請求項１記載の釣竿ケース。
【請求項３】
前記領域の外装材の外面には、外装材の内面に凹条を形成するように縦方向の凸条が形成されている請求項２記載の釣竿ケース。
【発明の詳細な説明】
【０００１】
【発明の属する技術分野】
本発明は、釣竿を収納する釣竿ケースの改良に関する。
【０００２】
【従来の技術】
例えば、投げ竿や磯竿などの振り出し式の釣竿を収縮させた状態で収納して釣り場まで携帯する目的のためにこの種の釣竿ケースは使用される。また、渡船を利用することの多い磯釣りにおいては船から磯に瞬時に渡ることが必要であり、その際に釣竿ケースを磯に投げ移されるというような使用がなされることもある。このように、この種の釣竿ケースは比較的乱暴に取り扱われることも多いことから、近年では、収納した釣竿やリール等を保護する性能も釣竿ケースには要求されるようになっている。この要求に対して本出願人は釣竿ケースの外装材に発泡材を使用することについて既に提案している（下記特許文献１参照）。
【０００３】
【特許文献１】
特開２００１−１９０１９６号公報
【０００４】
【発明が解決しようとする課題】
その一方、この種の釣竿ケースは釣竿を収納するという機能から必然的に縦長形状となる。そのため、釣竿ケースは、その構造上、横方向に折れ曲がりやすいという特徴があり、釣竿ケースの折れ曲がりは即ち収納されている釣竿の破損につながることから、この折れ曲がりを防止することが要求される。
【０００５】
それゆえに本発明は、衝撃吸収性に優れると共に折れ曲がりを効果的に防止できる釣竿ケースを提供することを課題とする。
【０００６】
【課題を解決するための手段】
本発明は、上記課題を解決すべくなされたものであり、本発明に係る釣竿ケースは、筒状の側壁部に釣竿の出し入れのための本体開口部が縦方向に沿って形成されている釣竿ケースであって、側壁部は、横断面視略Ｕ字状の枠体と、該枠体の両側縁部間に設けられ、枠体の一方の側縁部に固着されると共に枠体の他方の側縁部との間に前記本体開口部を形成する帯状体とから構成され、枠体は、その上端から下端まで全長に亘って縫合部のない一枚の板状発泡体が外装材として使用された領域を有していることを特徴とする。
【０００７】
該構成の釣竿ケースにあっては、筒状の側壁部が略Ｕ字状の枠体と該枠体の縦長開口を閉塞するように設けられた帯状体とから構成されるため、側壁部の強度は枠体の強度が支配的なものとなる。そして、該枠体に、縫合部のない一枚の板状発泡体を外装材として使用した領域が設けられているので、その領域が枠体ひいては側壁部の支柱となる。即ち、板状発泡体に縫合部がないので縫合部で折れ曲がるということがなく、その全長に亘って一枚の板状発泡体が側壁部の支柱として機能することにより、釣竿ケースの横方向の折れ曲がりを効果的に防ぐのである。また、例えば上端部を磯場に突くような乱暴な取り扱いがなされた場合、前記領域が支柱となって突っ張って折れ曲がりを防止する。
【０００８】
例えば、釣竿ケースを射出成型品から構成すれば、強度的には非常に高いものが得られるが、乱暴に取り扱われた場合には衝撃に耐えきれずに割れ等が生じやすいという問題がある。これに対して板状発泡体の場合には衝撃吸収性に優れているので割れ等の発生がなく、上端部を釣り場に突くようなことがあっても全長に亘って使用された板状発泡体が軸線方向の衝撃を効果的に吸収して、内部の釣竿を保護する。
【０００９】
また、枠体には、外装材の内側に板状発泡体よりも薄肉の硬質ボードが略Ｕ字状に撓んだ状態で配置されていることが好ましい。上述したように側壁部の剛性は主として枠体の剛性が支配する。そのため、板状発泡体を使用した外装材の内側には硬質ボードを使用して枠体の剛性を高めることが好ましい。その場合、硬質ボードを厚肉にするほど剛性が高まるが、重くなるうえに可撓性は低下する。本発明においては板状発泡体を全長に亘って使用した領域を有しているので、硬質ボードを薄肉とすることができて軽量化が図れる。しかも、薄肉の硬質ボードであるため撓みやすく、従って側方から力が作用しても硬質ボードが撓んでそれを枠体全体に分散して吸収する。即ち、側方からの衝撃を外装材の板状発泡体が吸収すると共にその内側の硬質ボードがその略Ｕ字状の断面形状を適宜変化させて吸収するのである。
【００１０】
また、前記領域の外装材の外面には、外装材の内面に凹条を形成するように縦方向の凸条が形成されていることが好ましい。上述したように該領域は支柱として機能するが、凸条がリブとなって該領域の曲げ強度を向上させる。更に、凸条の内側にはその形状に対応して凹条が形成されているので、その部分において、凸条の突出量に対応した空間が硬質ボードとの間に形成されることとなる。そのため、凸条は単なるリブとしてのみ機能するのではなく、その内側の空間が衝撃吸収空間となって凸条に作用する側方からの衝撃等を効果的に吸収する。しかも、凸条の部分が他の部分に比して厚肉となるのではなくその内側に空間を形成する構成であるのでケースの軽量化が図れ、よって、強度の確保、衝撃吸収性、及び軽量化を両立することができる。
【００１１】
【発明の実施の形態】
以下、本発明に係る釣竿ケースの一実施形態として図１乃至図５を参酌しつつ説明する。
図１に示す本実施形態の釣竿ケースは、縦長の四つの壁面、即ち、前面１、背面２、左右両側面３，４の合計四つの壁面からなる筒状の側壁部５を有している。該側壁部５は、図４にも示しているように、断面視略Ｕ字状に形成された枠体１０と、該枠体１０の開口を閉塞するように枠体１０の両側縁部１０ａ，１０ｂ間を連結する帯状体１１とから構成され、該帯状体１１が前面１を構成し、枠体１０が背面２と左右両側面３，４とを構成する。尚、図４のように、背面２は横断面視円弧状である一方、前面１は横断面視略平坦である。
【００１２】
前記帯状体１１は、幅略一定であって、その右側縁部１１ａが枠体１０の右側縁部１０ａと縫合され、その左側縁部１１ｂは枠体１０の左側縁部１０ｂとスライドファスナーにより連結されている。即ち、帯状体１１の左側縁部１１ｂと枠体１０の左側縁部１０ｂとの間に、釣竿Ｗを出し入れするための本体開口部３０が形成される。該本体開口部３０は、縦方向に沿って側壁部５の全長に亘って形成されている。また、帯状体１１は枠体１０よりも上方に長く形成されてその上端部１１ｃで側壁部５の上端開口を閉塞し、スライドファスナーも枠体１０の右側縁部１０ａの上端まで達している。
【００１３】
また、図２及び図３のように、右側面３と左側面４は対称形状であって、上端から途中まで細く、そこから徐々に前方側に膨出するように幅広となり、その後、下端に向けて再び徐々に幅狭となっていく。かかる幅広部分を設けることにより、釣竿ケースは前後の寸法が局所的に大きいところを有し、これによりリールを装着した釣竿を収納することができるようになっている。
【００１４】
更に、左側面４には、局所的に前方に膨出した幅広形状に適合するような形状を有するポケット２０が側方に突出して設けられており、該ポケット開口部２１もスライドファスナーにより縦方向に沿って開閉される。
【００１５】
尚、側壁部５の下端には合成樹脂成型品の底キャップ２２が装着されていて該底キャップ２２によって側壁部５の下端開口が閉塞されている。また、背面２には、肩掛けベルト２３と把手２４とが取り付けられており、側壁部５の上端部にも把手２５が取り付けられている。
【００１６】
一方、図４に戻って、枠体１０はその両側縁部１０ａ，１０ｂにおいて互いに縫合された外装材１００と内装材１０２とを備え、外装材１００と内装材１０２の間には硬質ボード１０１が略Ｕ字状に撓ませられた状態で介装されている。内装材１０２は、例えば、ナイロン等の合成樹脂製の生地から構成される。外装材１００は、厚さ５ｍｍ程度の均一厚の板状の部材であり、図５に示す如く、板状発泡体２００の片面に合成樹脂フィルム２０１を積層一体化したものであって、該合成樹脂フィルム２０１が外側となるようにして使用されている。ここで、板状発泡体２００は、例えば、エチレン酢酸ビニル共重合体（ＥＶＡ）発泡体等であり、合成樹脂フィルム２０１は例えばポリ塩化ビニルシートが使用される。また、硬質ボード１０１は、板状発泡体２００よりも硬質であって、例えばポリエチレン等の合成樹脂からなるボードが使用され、板状発泡体２００よりも薄肉である。該硬質ボード１０１はその可撓性によって略Ｕ字状に湾曲し、従って、硬質ボード１０１は図４に矢印Ｑで示すようにその弾性復元力により元の平坦な状態に戻ろうとし、それによって枠体１０も左右に開こうとするが、この枠体１０の開きは帯状体１１で阻止される。尚、帯状体１１も同様の外装材１１０と内装材１１２とを有するが、両者の間には硬質ボードは介装されていない。
【００１７】
かかる枠体１０の三層構造（外装材１００、硬質ボード１０１、内装材１０２）は、左側面４の前記ポケット２０の箇所を除いて三面共に共通している。即ち、硬質ボード１０１は上端から下端まで全長に亘って設けられている。そして、外装材１００も枠体１０の全長に亘って一枚物である。即ち、複数枚を縫合したものではなく、枠体１０の形状に合わせて裁断した一枚の外装材１００が使用されている。従って、背面２と右側面３には、上端から下端まで縫合部のない状態となっており、この二面が支柱として機能する領域である。尚、図３に示すように左側面４にはポケット２０が設けられているので、スライドファスナー付きのポケット開口部２１によって左側面４の外装材１００は部分的に上下に分断されている。
【００１８】
また、左右両側面３，４の上部には、縦方向の凸条５０，５１が形成されている。該凸条５０，５１は外装材１００に形成されており、外装材１００をプレス成形することによって凸条５０，５１は形成されている。従って、外装材１００の内面には凸条５０，５１に対応した凹条が形成され、図４に示すように、該凹条によって硬質ボード１０１との間に空間５２が形成される。尚、凸条５０，５１の形成箇所は釣竿の竿先部分が位置するところである。
【００１９】
以上のように構成された釣竿ケースにあっては、枠体１０の背面２と右側面３の二面において外装材１００には上端から下端まで縫合部が存在しない。従って、その二面が枠体１０の支柱として機能して釣竿ケースを保形する。即ち、その二面には縫合部がないので縫合部の箇所で折れ曲がりやすくなるということがなく、従って釣竿ケースの折れ曲がりを効果的に防止できる。特に、背面２と右側面３の二面が支柱となるので、釣竿ケースの剛性が高く、しかも、板状発泡体２００であるので振動吸収性も優れている。更に、左右両側面３，４に縦方向の凸条５０，５１が設けられているので該凸条５０，５１がリブとして機能して折れ曲がりを防止する。また、凸条５０，５１の内側の空間５２が衝撃吸収空間となるので、特に側方からの衝撃に対して強く、凸条５０，５１の内側に位置する釣竿の竿先部分を破損から保護する。
【００２０】
更に、外装材１００の内側の硬質ボード１０１が外装材１００よりも薄肉であるので軽く、しかも可撓性に優れるので側方からの力に対しても適宜撓むことでその力を分散し吸収する。また、釣竿を出し入れする際にスライドファスナーによって本体開口部３０を開けると、硬質ボード１０１の弾性復元力で略Ｕ字状の枠体１０が左右に開くが、硬質ボード１０１を薄肉にすることにより、本体開口部３０を閉じる際も容易に閉じることができるという利点もある。
【００２１】
尚、本実施形態では背面２と右側面３の二面に全長に亘って縫合部のない外装材１００を使用したが、全長に亘って縫合部のない外装材１００を右側面３や背面２のみに設ける構成としてもよく、また、一つの面の全幅でなくてもよい。
【００２２】
更に、板状発泡体２００の外面に未発泡の合成樹脂フィルム２０１が積層された外装材１００を使用したがこの合成樹脂フィルム２０１を省略したりしてもよい。但し、合成樹脂フィルム２０１を積層することにより板状発泡体２００の汚れや摩耗等を防止することができる。
【００２３】
また、凸条５０，５１の形状や形成箇所、あるいは側壁部５の形状についても適宜設計変更可能である。
【００２４】
【発明の効果】
以上のように、全長に亘って縫合部のない一枚の板状発泡体を外装材として使用した領域が枠体に設けられているので、その領域が支柱として機能して釣竿ケースの折れ曲がりが防止されると共に、板状発泡体により衝撃が吸収され、よって収納した釣竿は確実に保護される。
【図面の簡単な説明】
【図１】本発明の一実施形態における釣竿ケースの斜視図。
【図２】同釣竿ケースの右側面図。
【図３】同釣竿ケースの左側面図。
【図４】図１のＰ−Ｐ線断面図。
【図５】同釣竿ケースの外装材の断面図。
【符号の説明】
１…前面、２…背面、３…右側面、４…左側面、５…側壁部、１０…枠体、１１…帯状体、２０…ポケット、２１…ポケット開口部、３０…本体開口部、５０，５１…凸条、５２…空間、１００，１１０…外装材、１０１…硬質ボード、１０２、１１２…内装材、２００…板状発泡体、２０１…合成樹脂フィルム、Ｗ…釣竿
【図１】
2004337016.tif 000003
【図２】
2004337016.tif 000004
【図３】
2004337016.tif 000005
【図４】
2004337016.tif 000006
【図５】
2004337016.tif 000007